(57)【要約】【課題】安全で環境に優しく低コストで信頼性の高く、絶縁直径が大きく異なる高圧ケーブルを接続するトランジションジョイントを提供する。【解決手段】本発明は、コネクタと絶縁本体とを備え、第１のケーブルと第２のケーブルとを接続するトランジションジョイントに関する。前記コネクタは、前記第１のケーブルに接続されている第１の接合部と、前記第２のケーブルに接続されている第２の接合部とを備え、前記第１の接合部及び前記第２の接合部は、隣接して設けられている。前記絶縁本体の一部が圧縮性媒体を介して前記第１のケーブル及び前記第１の接合部を周方向にシームレスに緊密に囲むため、前記圧縮性媒体は、前記第１のケーブル及び前記第１の接合部に十分な一定の圧力を加える。【選択図】    図１
2019176722.tif 000002
【特許請求の範囲】
【請求項１】
第１のケーブルと第２のケーブルとを接続するトランジションジョイントであって、前記第１のケーブルの絶縁直径が前記第２のケーブルの絶縁直径よりも小さく、前記トランジションジョイントは、
第１端に設けられている第１の開口及び第２端に設けられている第２の開口を備える絶縁本体と、
前記絶縁本体内に設けられている圧着部材であって、第１の接合部及び第２の接合部を備え、前記第１の接合部の直径が前記第２の接合部の直径よりも小さく、前記第１の接合部及び前記第２の接合部が隣接して設けられて肩部を形成する圧着部材と、
前記絶縁本体内に設けられている高圧電極管であって、一部が前記第２の接合部を周方向にシームレスに緊密に囲み、他の一部が、前記絶縁本体の延在部を介して前記第１の接合部及び第１のケーブルと接続されている高圧電極管と、を備え、
前記絶縁本体は、前記第１の開口及び前記第１の接合部を接続する第１の通路と、前記第２の開口及び前記第２の接合部を接続する第２の通路とをさらに備え、前記絶縁本体が前記第１の通路及び前記第２の通路をシームレスに緊密に囲むことで、前記第１の通路に収容されている前記第１のケーブル及び前記第２の通路に収容されている前記第２のケーブルに対して十分な一定の圧力を保持することができるトランジションジョイント。
【請求項２】
前記第１のケーブルの絶縁直径と前記第２のケーブルの絶縁直径の差が、少なくとも８ミリメートルである請求項１に記載のトランジションジョイント。
【請求項３】
第１のストレスコーンと第２のストレスコーンとをさらに備え、前記第１のストレスコーン及び前記第２のストレスコーンは切頭円錐状であり、前記絶縁本体内に設けられており、前記第１のストレスコーンが前記第１の開口を囲み、前記第２のストレスコーンが前記第２の開口を囲む請求項１に記載のトランジションジョイント。
【請求項４】
前記絶縁本体が予め製造されたものである請求項１に記載のトランジションジョイント。
【請求項５】
前記圧着部材の材料がアルミニウムである請求項１に記載のトランジションジョイント。
【請求項６】
前記第１の接合部が前記第１のケーブルの終端に接合されており、前記第２の接合部が前記第２のケーブルの終端に接合されている請求項１に記載のトランジションジョイント。
【請求項７】
前記絶縁本体を周方向に囲む銅ケーシングをさらに備える請求項１に記載のトランジションジョイント。
【請求項８】
前記第１の通路と前記第２の通路が同軸でない請求項１に記載のトランジションジョイント。
【請求項９】
前記第１の通路と前記第２の通路が同軸である請求項１に記載のトランジションジョイント。
【請求項１０】
第１のケーブルと第２のケーブルとを接続する方法であって、
請求項１に記載のトランジションジョイントを提供するステップと、前記第１のケーブルの終端を前記絶縁本体の前記第１の開口に通して前記圧着部材の前記第１の接合部と接合してから、前記第２のケーブルの終端を前記絶縁本体の前記第２の開口に通して前記圧着部材の前記第２の接合部と接合するステップと
を含む方法。
【発明の詳細な説明】
【技術分野】
【０００１】
本発明は、高圧ケーブルを接続するトランジションジョイントに関する。
【背景技術】
【０００２】
屋外で使用されるトランジションジョイントは、電界を制御するための部材と、ストレスコーンと、物理的強度及び外部絶縁を提供する絶縁体とを備える。多くの設計において、ストレスコーンと絶縁体との間の空間には絶縁油が充填されている。油の可燃性及び汚染のため、このような流体の存在は、ますます一つの欠点であると考えられるようになっている。現段階で、安全で環境に優しく、低コストで信頼性の高い高圧ケーブルを接続する装置及び方法を開発する必要がある。
【発明の概要】
【０００３】
本発明の１つの例示的な実施例は、第１のケーブルと第２のケーブルとを接続するトランジションジョイントを含み、前記第１のケーブルの絶縁直径は、前記第２のケーブルの絶縁直径よりも小さい。前記トランジションジョイントは、絶縁本体と、圧着部材と、高圧電極管とを備える。前記圧着部材及び前記高圧電極管は、前記絶縁本体内に設けられている。前記絶縁本体は、第１端に設けられている第１の開口及び第２端に設けられている第２の開口を備える。前記圧着部材は、第１の接合部と第２の接合部とを備え、前記第１の接合部の直径は前記第２の接合部の直径よりも小さく、前記第１の接合部及び前記第２の接合部は、隣接して設けられて肩部を形成する。前記絶縁本体は、前記第１の開口及び前記第１の接合部を接続する第１の通路と、前記第２の開口及び前記第２の接合部を接続する第２の通路とをさらに備え、前記絶縁本体は、前記第１の通路及び前記第２の通路をシームレスに緊密に囲むことで、前記第１の通路に収容されている前記第１のケーブル及び前記第２の通路に収容されている前記第２のケーブルに対して十分な一定の圧力を保持することができる。前記高圧電極管の一部は、前記第２の接合部を周方向にシームレスに緊密に囲み、前記高圧電極管の他の一部は、前記絶縁本体の延在部を介して前記第１の接合部及び第１のケーブルと接続されている。
【０００４】
本明細書では、他の例示的な実施例についても論じている。
【図面の簡単な説明】
【０００５】
【図１】図１は、例示的な実施例によるトランジションジョイントの構造模式図である。
【図２】図２は、例示的な実施例によるトランジションジョイントの絶縁本体の横断面図である。
【図３】図３は、例示的な実施例によるトランジションジョイントの圧着部材の横断面図である。
【発明を実施するための形態】
【０００６】
ケーブルシステムの拡張においては、効果と利益を高めるため、既存の線路に新しい線路を接続する必要がある場合が多い。既存の線路の絶縁直径と新しい線路の絶縁直径は、通常、異なっており、この差異は、導体の面積の差異に起因することもあり、２つのケーブルの絶縁厚さの差異に起因することもある。したがって、絶縁直径が異なり、ひいては差異が大きい高圧ケーブルを接続するトランジションジョイントを提供する必要がある。
【０００７】
本発明の１つの例示的な実施例は、絶縁直径が異なり、ひいては差異が大きい高圧ケーブルを接続する装置及び方法を提供する。
【０００８】
絶縁直径の差異が小さいケーブルについては、一般的なトランジションジョイントであっても、トランジションジョイントの裕度拡大によってそのような高圧ケーブルを接続することができる。この方法は、絶縁直径が比較的小さいケーブル（小ケーブルと略称する）用のトランジションジョイントを用いて接続するものである。小ケーブルが受ける圧力は、トランジションジョイントとの接合に十分であるが、絶縁直径が比較的大きいケーブル（大ケーブルと略称する）が受ける圧力、特に大ケーブルの膨張係数は大きくなる。大ケーブルの膨張係数が許容可能な範囲内でなければ、この方法は実行できない。大ケーブルの膨張係数が大き過ぎると、小ケーブル用のトランジションジョイントにより接続することができない。したがって、この方法の使用は、高圧ケーブルの絶縁直径の差異により制限される。
【０００９】
そのため、ケーブルの絶縁直径の差異が大きい場合は、複数セットのトランジションジョイントで段階的に接続する方法がある。複数セットのトランジションジョイントで段階的に接続するという解決手段はコストが非常に高い。複数本のケーブル、複数のジョイント及び配線設備の費用が増加するためである。
【００１０】
このほか、エポキシ樹脂を中心部材とするジョイントを使用する方法がある。このようなジョイントは、スプリング及びストレスコーンを別途設ける必要があり、その取り付け工程が多く困難度が高いため、コストも価格もかなり高くなる。さらに、この方法は、出荷試験を全体に一括して行うことができないため、信頼性が低くなり、現在、市場ではプレハブ型ジョイントに取って代わられている。
【００１１】
そのほか、トランジションジョイントの高圧電極の構造を変更する方法もある。絶縁直径が大きいケーブルに適合するトランジションジョイントを選択し、大ケーブルに適合するトランジションジョイントの高圧電極の一部のみを残し、高圧電極の他の一部を小ケーブルに適合する構造に改造する必要がある。しかし、この方法は、新しいモールドを生産しなければならず、また、高圧電極を平滑に研磨することは困難である。
【００１２】
以下、後述する例示を参照し、実施例をより詳しく説明する。例示は、ここで説明のために提供されるものに過ぎず、制限するためのものではない。
【００１３】
本発明の１つの例示的な実施例は、第１のケーブルと第２のケーブルとを接続するトランジションジョイントを含み、前記第１のケーブルの絶縁直径は、前記第２のケーブルの絶縁直径よりも小さい。
【００１４】
例として、前記第１のケーブルの絶縁直径と前記第２のケーブルの絶縁直径の差は、８〜１０ミリメートルである。
【００１５】
例として、前記第１のケーブルの絶縁直径と前記第２のケーブルの絶縁直径の差は、少なくとも８ミリメートルである。
【００１６】
本発明の１つの例示的な実施例において、前記トランジションジョイントは、絶縁本体と、コネクタ（圧着部材ともいう）と、高圧電極管とを備える。
【００１７】
例として、前記絶縁本体は予め製造されたものであり、したがって前記絶縁本体は、一体成型されたものである。
【００１８】
例として、前記絶縁本体はシリコンゴムである。
【００１９】
例として、前記絶縁本体はエチレンプロピレンゴム（ＥＰＲ／ＥＰＭＤ）である。
【００２０】
例として、前記圧着部材の材料は銅である。
【００２１】
例として、前記圧着部材の材料はアルミニウムである。
【００２２】
例として、前記高圧電極管は管状であり、圧着部材と同軸である。
【００２３】
本発明の１つの例示的な実施例において、前記絶縁本体は、第１端に設けられている第１の開口と、第２端に設けられている第２の開口とを備える。
【００２４】
例として、前記絶縁本体の前記第１端及び前記第２端は、対向して設けられている。
【００２５】
本発明の１つの例示的な実施例において、前記圧着部材は前記絶縁本体内に設けられており、前記圧着部材は、第１の接合部と第２の接合部とを備え、前記第１の接合部の直径は、前記第２の接合部の直径よりも小さく、前記第１の接合部及び前記第２の接合部は、隣接して設けられて肩部を形成する。
【００２６】
例として、前記第１の接合部及び前記第２の接合部はほぼ円柱形である。
【００２７】
例として、前記第１の接合部と前記第２の接合部は同軸である。
【００２８】
例として、前記第１の開口、前記第２の開口、前記第１の接合部及び前記第２の接合部は同軸である。
【００２９】
例として、前記第１の接合部と前記第２の接合部は同軸であるが、前記第１の開口及び/又は前記第２の開口と前記第１の接合部は同軸でなくてもよい。
【００３０】
例として、前記第１の接合部と前記第２の接合部は同軸ではないが、前記第１の開口と前記第１の接合部は同軸であり、前記第２の開口と前記第２の接合部は同軸である。
【００３１】
例として、前記第１の接合部は、前記第１のケーブルの終端に接合されており、前記第２の接合部は、前記第２のケーブルの終端に接合されている。
【００３２】
例として、前記第１の接合部は、前記絶縁本体の第１の開口を通る前記第１のケーブルの終端に接合されており、前記第２の接合部は、前記絶縁本体の第２の開口を通る前記第２のケーブルの終端に接合されている。
【００３３】
例として、前記第１の接合部が小ケーブルの終端に接合される必要があり、前記第２の接合部が大ケーブルの終端に接合される必要があるので、前記第１の接合部の横断面積は前記第２の接合部の横断面積よりも小さく、それにより前記肩部を形成する。
【００３４】
本発明の１つの例示的な実施例において、前記絶縁本体は、前記第１の開口及び前記第１の接合部を接続する第１の通路と、前記第２の開口及び前記第２の接合部を接続する第２の通路とをさらに備え、前記絶縁本体は、前記第１の通路及び前記第２の通路をシームレスに緊密に囲むことで、前記第１の通路に収容されている前記第１のケーブル及び前記第２の通路に収容されている前記第２のケーブルに対して十分な一定の圧力を保持することができる。
【００３５】
例として、前記第１のケーブルは、前記第１の開口を通って前記第１の通路に入って前記第１の接合部に接合されており、前記第２のケーブルは、前記第２の開口を通って前記第２の通路に入って前記第２の接合部に接合されている。
【００３６】
例として、前記第１のケーブルの絶縁直径と第１の接合部の直径は、ほぼ同じであり、前記第２のケーブルの絶縁直径と第２の接合部の直径は、ほぼ同じである。
【００３７】
例として、前記第１のケーブルの絶縁直径は第１の接合部の直径よりも小さく、前記第２のケーブルの絶縁直径は第２の接合部の直径よりも小さい。
【００３８】
本発明の１つの例示的な実施例において、前記高圧電極管は、前記絶縁本体内に設けられており、前記高圧電極管の一部は、前記第２の接合部を周方向にシームレスに緊密に囲み、前記高圧電極管の他の一部は、前記絶縁本体の延在部を介して前記第１の接合部及び第１のケーブルと接続又は接触している。
【００３９】
例として、前記高圧電極管と前記第１の接合部との間の空間は、前記絶縁本体が延在することで充填されており、前記肩部と接触している。
【００４０】
例として、前記絶縁本体は、前記第１のケーブル及び第１の接合部をシームレスに緊密に囲むことで前記第１のケーブル及び第１の接合部に十分な一定の圧力を提供する。
【００４１】
本発明の１つの例示的な実施例におけるトランジションジョイントは、前記絶縁本体を周方向に囲む銅ケーシングをさらに備える。
【００４２】
例として、銅ケーシングは対地絶縁された銅ケースである。
【００４３】
例として、銅ケーシングは１層の銅編組とテープとを備え、前記絶縁本体を周方向に囲む。
【００４４】
例として、銅ケーシングは対地絶縁されている。
【００４５】
例として、銅編組は絶縁され、水分がトランジションジョイントに入ることを防止する。
【００４６】
本発明の１つの例示的な実施例におけるトランジションジョイントは、第１のストレスコーンと第２のストレスコーンとをさらに備え、前記第１のストレスコーン及び前記第２のストレスコーンは切頭円錐状であり、前記絶縁本体内に設けられており、前記第１のストレスコーンは前記第１の開口を囲み、前記第２のストレスコーンは前記第２の開口を囲む。
【００４７】
例として、小ケーブルに接続されている第１のストレスコーンは、大ケーブルに接続されている第２のストレスコーンと同軸である。
【００４８】
例として、小ケーブルに接続されている第１のストレスコーンは、大ケーブルに接続されている第２のストレスコーンと同軸ではない。
【００４９】
本発明の１つの例示的な実施例は、大ケーブルと小ケーブルとを接続するトランジションジョイントの製造方法を含み、大ケーブルに適合するトランジションジョイントをベースとして製造し、即ち、大ケーブルに適合するトランジションジョイントの高圧電極の部分を残す。
【００５０】
図１に示すように、大ケーブルと小ケーブルとを接続するトランジションジョイント１０１は、絶縁本体１１６と、圧着部材１１４と、高圧電極管１１８とを備える。
【００５１】
例として、圧着部材１１４は円柱形であり、前記第１のケーブル１０２に接続されている第１の接合部１１０と、前記第２のケーブル１０４に接続されている第２の接合部１１２とを備え、前記第１の接合部１１０の直径は、前記第２の接合部１１２の直径よりも小さく、前記第１の接合部１１０及び前記第２の接合部１１２は、隣接して設けられて肩部１２８を形成する。
【００５２】
例として、大ケーブルに適合するトランジションジョイントの高圧電極の部分を残すことにより、図１に示す高圧電極管１１８は、圧着部材１１４の第２の接合部１１２を周方向にシームレスに緊密に囲むことができ、前記第２の接合部１１２は、大ケーブル１０４の終端との接合に適合し、前記第２の接合部１１２の直径は、前記大ケーブル１０４の絶縁直径とほぼ同じである。
【００５３】
本発明の１つの例示的な実施例におけるトランジションジョイントの圧着部材１１４は、小ケーブル１０２の終端との接合に適合する第１の接合部１１０をさらに備え、前記第１の接合部の直径は、前記小ケーブル１０２の絶縁直径とほぼ同じである。
【００５４】
例として、高圧電極管１１８が中空の円柱体であるので、前記高圧電極管１１８は前記第１の接合部１１０並びに小ケーブル１０２の終端との間に、空間が存在している。本発明の１つの例示的な実施例のトランジションジョイント１０１を生産する際、前記空間に１層の絶縁された圧縮性媒体を追加し、前記圧縮性媒体の製造は、前記高圧電極管１１８を囲む絶縁本体１１６を前記肩部１２８まで延在させて前記空間を充填するようにすればよい。これにより、前記高圧電極管１１８の一部は、前記第２の接合部１１２をシームレスに緊密に囲み、前記高圧電極管１１８の他の一部は、前記絶縁本体１１６の延在部１４０を介して前記第１の接合部１１０と接続される。
【００５５】
本発明の１つの例示的な実施例は、大ケーブルと小ケーブルとを接続するトランジションジョイントの製造方法を含む。この方法は、前記絶縁された圧縮性媒体を予め製造する必要があるが、この圧縮性媒体の生産は、高圧電極のモールドの生産又は改造よりも遥かに簡単で安価である。
【００５６】
本発明の１つの例示的な実施例は、大ケーブルと小ケーブルとを接続するトランジションジョイントの製造方法を含む。モールドの点で、大ケーブルに適合するトランジションジョイントの製造よりも部材が１つ増えるが、価格はジョイント設備を１つ増加する又は高圧電極を１つ生産するよりも遥かに低い。
【００５７】
本発明の１つの例示的な実施例において、前記絶縁本体は、第１端に設けられている第１の開口１２０と、第２端に設けられている第２の開口１２２とを備える。
【００５８】
本発明の１つの例示的な実施例のトランジションジョイント１０１は、前記絶縁本体を周方向に囲む銅ケーシング１３０をさらに備える。
【００５９】
本発明の１つの例示的な実施例のトランジションジョイント１０１は、第１のストレスコーン１０６と、第２のストレスコーン１０８とをさらに備え、前記第１のストレスコーン１０６及び前記第２のストレスコーン１０８は、前記絶縁本体１１６内に設けられており、前記第１のストレスコーン１０６は、前記第１の開口１２０を囲み、前記第２のストレスコーン１０８は、前記第２の開口１２２を囲む。
【００６０】
例として、前記第１のストレスコーン１０６は切頭円錐状であり、その切頭部分の円周は、前記第１の開口１２０を囲んで小ケーブル１０２の外層と緊密に接続されている。
【００６１】
例として、前記第２のストレスコーン１０８は切頭円錐状であり、その切頭部分の円周は、前記第２の開口１２２を囲んで大ケーブル１０４の外層と緊密に接続されている。
【００６２】
例として、小ケーブル１０２及び大ケーブル１０４の外層は、周方向に１層の銅編組で囲まれる。
【００６３】
図２は、本発明の１つの例示的な実施例におけるトランジションジョイントの絶縁本体１１６である。例として、前記トランジションジョイントは、大ケーブルに適合するトランジションジョイントに比べて１層の絶縁層１４０を増やしており、前記絶縁層１４０は、小ケーブル（図２に示さない）と半分の高圧電極（図２に示さない）との間に位置し、前記絶縁層は、半分の圧着部材（図２に示さない）と半分の高圧電極（図２に示さない）との間に位置する。
【００６４】
図３は、本発明の１つの例示的な実施例におけるトランジションジョイントの圧着部材１１４である。前記圧着部材１１４は、第１の接合部１１０と第２の接合部１１２とを備え、前記第１の接合部１１０の直径は、前記第２の接合部１１２の直径よりも小さく、前記第１の接合部１１０及び前記第２の接合部１１２は、隣接して設けられて肩部１２８を形成する。
【００６５】
本発明の１つの例示的な実施例のトランジションジョイントは、一体として出荷前に高圧試験を行うことができるので、その製品の品質は保証できる。
【００６６】
本発明の１つの例示的な実施例は、絶縁直径が異なり、ひいては差異が大きい高圧ケーブルを接続する方法を含み、本発明の１つの例示的な実施例であるプレハブ型のトランジションジョイントを使用することで、取り付けに必要な工程を簡略化して取り付けの時間及び労働力を減少させる。この方法は、以下のステップを含む。本発明の１つの例示的な実施例における第１のケーブルと第２のケーブルとを接続するトランジションジョイントを提供し、前記第１のケーブルの絶縁直径は前記第２のケーブルの絶縁直径よりも小さく、前記第１のケーブルの終端を前記絶縁本体の第１の開口に通して前記圧着部材の第１の接合部と接合してから、前記第２のケーブルの終端を前記絶縁本体の第２の開口に通して前記圧着部材の第２の接合部と接合する。本発明の１つの例示的な実施例におけるトランジションジョイントの絶縁層は前記肩部と緊密に接続される必要があるので、ステップは必ず上記の順序でなければならない。そうでなければ、前記肩部と前記絶縁層との間に隙間が生じ、トランジションジョイントの高圧電極管によるトランジションジョイント内の電界に対する制御に影響を与えることとなり、トランジションジョイントがあらゆる電圧負荷で正常に作動させることができなくなり、より長い作動寿命に耐えられなくなる。例えば、第２のケーブルの終端を前記第２の開口に挿入して第２の接合部と接合してから、第１のケーブルの終端を前記第１の開口に挿入して第１の接合部と接合すると、圧着部材が第２の開口の方向へ押され、前記肩部と前記絶縁層との間に隙間が生じる可能性が高い。
【００６７】
ケーブルの大きさの差異がどの程度であっても、本発明の１つの例示的な実施例のトランジションジョイントを用いて接続することができる。
【００６８】
なお、本明細書に記載の技術的特徴、技術的解決手段は、１つ又は複数の実施例において任意の適切な方法で組み合わせることができる。本明細書において部材に付けられた「第１」、「第２」等の番号自体は、説明の対象を区別するためのものに過ぎず、いかなる順序又は技術的意味も有していない。本願は、本実施例に説明した実施形態に限定されず、様々な異なる形式で実現可能である。以上の内容は、具体的な実施形態を参照して本発明をさらに詳細に説明するものであるが、本発明の具体的な実施が、これらの説明のみに限定されると認定することはできない。
【００６９】
例えば、本明細書で使用する「差異が大きい」とは、絶縁直径の差が少なくとも８ミリメートルであることを意味する。
【００７０】
例えば、本明細書で使用する「絶縁直径」とは、ケーブルの物理的直径を意味する。
【００７１】
例えば、本明細書で使用する「高圧ケーブル」とは、３６ｋＶ又はそれ以上の電力を伝送するケーブルを意味する。
【００７２】
例えば、本明細書で使用する「超高圧ケーブル」とは、２２０ｋＶ又はそれ以上の電力を伝送するケーブルを意味する。
【００７３】
例えば、本明細書で使用する「中圧ケーブル」とは、３ｋＶ〜３６ｋＶ又はそれ以上の電力を伝送するケーブルを意味する。
【００７４】
例えば、本明細書で使用する「十分な一定の圧力」とは、絶縁本体により提供され、界面の絶縁強度を十分に且つ一定に保持する圧縮力を意味する。
【符号の説明】
【００７５】
１０１  トランジションジョイント
１０２  第１のケーブル（小ケーブル）
１０４  第２のケーブル（大ケーブル）
１０６  第１のストレスコーン
１０８  第２のストレスコーン
１１０  第１の接合部
１１２  第２の接合部
１１４  圧着部材
１１６  絶縁本体
１１８  高圧電極管
１２０  第１の開口
１２２  第２の開口
１２８  肩部
１３０  銅ケーシング
１４０  延在部（絶縁層）
【図１】
2019176722.tif 000003
【図２】
2019176722.tif 000004
【図３】
2019176722.tif 000005